(57)【要約】【課題】車両に関連する事故を的確に減らすこと。【解決手段】情報処理装置であって、車両が事故発生地点に近づいているか否かを判定する判定部を備えた。情報処理装置は、さらに、判定部により、車両が事故発生地点に近づいていると判定された場合、事故発生地点で発生した事故の属性に応じたアラートメッセージを報知する報知部を備えた。情報処理装置は、事故発生地点における事故履歴情報に基づいて属性を分析する分析部さらに備えた。【選択図】  図１
2018055296.tif 000002
【特許請求の範囲】
【請求項１】
車両が事故発生地点に近づいているか否かを判定する判定手段と、
前記判定手段により、前記車両が前記事故発生地点に近づいていると判定された場合、前記事故発生地点で発生した事故の属性に応じたアラートメッセージを報知する報知手段と、
を備えた情報処理装置。
【請求項２】
前記事故発生地点における事故履歴情報に基づいて前記属性を分析する分析手段をさらに備え、
前記報知手段は、前記分析手段の分析結果に応じたアラートメッセージを報知する請求項１に記載の情報処理装置。
【請求項３】
前記属性に基づいて前記アラートメッセージを生成して、記憶する記憶手段と、
前記属性に応じた前記アラートメッセージを前記記憶手段から選択する選択手段と、
をさらに備え、
前記報知手段は、前記選択手段により選択された前記アラートメッセージを報知する請求項１または２に記載の情報処理装置。
【請求項４】
前記選択手段は、さらに、前記車両の走行状況および走行環境の少なくとも一方に基づいて、前記アラートメッセージを選択する請求項３に記載の情報処理装置。
【請求項５】
前記判定手段により、前記車両が前記事故発生地点に近づいていると判定された場合、前記属性に基づいて前記アラートメッセージを生成する生成手段をさらに備え、
前記報知手段は、前記属性に応じて、前記生成手段により生成されたアラートメッセージを報知する請求項１または２に記載の情報処理装置。
【請求項６】
前記生成手段は、さらに、前記車両の走行状況および走行環境の少なくとも一方に基づいて、前記アラートメッセージを生成する請求項５に記載の情報処理装置。
【請求項７】
前記報知手段は、車載端末および前記車両の搭乗者の所持する携帯端末の少なくともいずれか一方に前記アラートメッセージを報知する請求項１乃至４のいずれか１項に記載の情報処理装置。
【請求項８】
前記報知手段が、前記アラートメッセージを報知する報知タイミングの設定を受け付ける第１受付手段をさらに備え、
前記報知手段は、さらに、設定された前記報知タイミングに基づいて、前記アラートメッセージを報知する請求項１乃至７のいずれか１項に記載の情報処理装置。
【請求項９】
前記属性の設定を受け付ける第２受付手段をさらに備え、
前記報知手段は、さらに、設定された前記属性に対応する前記アラートメッセージを報知する請求項１乃至８のいずれか１項に記載の情報処理装置。
【請求項１０】
前記属性は、年齢、性別、免許証の色、日時、走行データ、事故態様、車種、用途車種、天候および道路情報の少なくとも１つを含む請求項１乃至７のいずれか１項に記載の情報処理装置。
【請求項１１】
前記アラートメッセージは、テキストメッセージ、音声メッセージおよび画像メッセージの少なくとも１つを含む、請求項１乃至８のいずれか１項に記載の情報処理装置。
【請求項１２】
車両が事故発生地点に近づいているか否かを判定する判定ステップと、
前記判定ステップにおいて、前記車両が前記事故発生地点に近づいていると判定された場合、前記事故発生地点で発生した事故の属性に応じたアラートメッセージを報知する報知ステップと、
を含む情報処理方法。
【請求項１３】
車両が事故発生地点に近づいているか否かを判定する判定ステップと、
前記判定ステップにおいて、前記車両が前記事故発生地点に近づいていると判定された場合、前記事故発生地点で発生した事故の属性に応じたアラートメッセージを報知する報知ステップと、
をコンピュータに実行させる情報処理プログラム。
【発明の詳細な説明】
【技術分野】
【０００１】
本発明は、情報処理装置、情報処理方法および情報処理プログラムに関する。
【背景技術】
【０００２】
上記技術分野において、特許文献１には、事故発生パターンを学習して事故発生予報を演算する技術が開示されている。
【先行技術文献】
【特許文献】
【０００３】
【特許文献１】特開２０１４−３５６３９号公報
【発明の概要】
【発明が解決しようとする課題】
【０００４】
しかしながら、上記文献に記載の技術では、車両に関連する事故を的確に減らすことができなかった。
【０００５】
本発明の目的は、上述の課題を解決する技術を提供することにある。
【課題を解決するための手段】
【０００６】
上記目的を達成するため、本発明に係る情報処理装置は、
車両が事故発生地点に近づいているか否かを判定する判定手段と、
前記判定手段により、前記車両が前記事故発生地点に近づいていると判定された場合、前記事故発生地点で発生した事故の属性に応じたアラートメッセージを報知する報知手段と、
を備えた。
【０００７】
上記目的を達成するため、本発明に係る情報処理方法は、
車両が事故発生地点に近づいているか否かを判定する判定ステップと、
前記判定ステップにおいて、前記車両が前記事故発生地点に近づいていると判定された場合、前記事故発生地点で発生した事故の属性に応じたアラートメッセージを報知する報知ステップと、
を含む。
【０００８】
上記目的を達成するため、本発明に係る情報処理プログラムは、
車両が事故発生地点に近づいているか否かを判定する判定ステップと、
前記判定ステップにおいて、前記車両が前記事故発生地点に近づいていると判定された場合、前記事故発生地点で発生した事故の属性に応じたアラートメッセージを報知する報知ステップと、
をコンピュータに実行させる。
【発明の効果】
【０００９】
本発明によれば、車両に関連する事故を的確に減らすことができる。
【図面の簡単な説明】
【００１０】
【図１】本発明の第１実施形態に係る情報処理装置の構成を示すブロック図である。
【図２】本発明の第２実施形態に係る情報処理装置の動作の概略を説明する図である。
【図３】本発明の第２実施形態に係る情報処理装置の構成を示すブロック図である。
【図４Ａ】本発明の第２実施形態に係る情報処理装置の備えるアラートメッセージテーブルの一例を示す図である。
【図４Ｂ】本発明の第２実施形態に係る情報処理装置の備えるアラートメッセージテーブルの一例を示す図である。
【図４Ｃ】本発明の第２実施形態に係る情報処理装置の備えるアラートメッセージテーブルの一例を示す図である。
【図４Ｄ】本発明の第２実施形態に係る情報処理装置の備えるアラートメッセージテーブルの一例を示す図である。
【図４Ｅ】本発明の第２実施形態に係る情報処理装置の備えるアラートメッセージテーブルの一例を示す図である。
【図５】本発明の第２実施形態に係る情報処理装置のハードウェア構成を示す図である。
【図６】本発明の第２実施形態に係る情報処理装置の処理手順を説明するフローチャートである。
【図７】本発明の第３実施形態に係る情報処理装置の構成を示すブロック図である。
【図８】本発明の第３実施形態に係る情報処理装置のハードウェア構成を示す図である。
【図９】本発明の第３実施形態に係る情報処理装置の処理手順を説明するフローチャートである。
【発明を実施するための形態】
【００１１】
以下に、本発明を実施するための形態について、図面を参照して、例示的に詳しく説明記載する。ただし、以下の実施の形態に記載されている、構成、数値、処理の流れ、機能要素などは一例に過ぎず、その変形や変更は自由であって、本発明の技術範囲を以下の記載に限定する趣旨のものではない。
【００１２】
［第１実施形態］
本発明の第１実施形態としての情報処理装置１００について、図１を用いて説明する。情報処理装置１００は、車両が事故発生地点に近づいている場合に、当該車両に対してアラートメッセージを報知する装置である。
【００１３】
図１に示すように、情報処理装置１００は、判定部１０１と、報知部１０２とを含む。判定部１０１は、車両が事故発生地点に近づいているか否かを判定する。報知部１０２は、判定部１０１により、車両が事故発生地点に近づいていると判定された場合、事故発生地点で発生した事故の属性に応じたアラートメッセージを報知する。
【００１４】
本実施形態によれば、車両に関連する事故を的確に減らすことができる。
【００１５】
［第２実施形態］
次に本発明の第２実施形態に係る情報処理装置について、図２乃至図６を用いて説明する。図２は、本実施形態に係る情報処理装置の動作の概略を説明する図である。
【００１６】
情報処理装置２００は、地点２１０で発生した事故の属性を事故履歴情報に基づいて分析する。例えば、地点２１０は、夕方の３０〜４０代のドライバーによる事故発生地点（事故多発地点）を表し、その原因が、速度超過であることを表している。同様に、地点２２０は、日中の６０代以上のドライバーによる事故発生地点を表し、特に、軽自動車による事故が多い地点であることを表している。地点２３０は、夜間に２０代のドライバーによる事故発生地点を表し、追突による事故が多発していることを表している。このように、情報処理装置２００は、事故が多く発生している地点における、事故の特性や特徴などに基づいて、事故を起こしやすい人物の傾向や、事故を起こしやすい車両の用途車種、事故発生時の天候、事故発生時間などの事故の属性を分析して、導き出す。情報処理装置２００は、このようにして導き出した事故の属性に応じたアラートメッセージ２４０を報知する。
【００１７】
情報処理装置２００は、車両がこれらの事故発生地点に近づくと、当該車両のドライバーに対して、アラートメッセージ２４０を報知する。例えば、車両のドライバーが、３０代のドライバーであり、夕方に車両を運転していて、車両が地点２１０に近づいている場合を考える。そうすると、情報処理装置２００は、例えば、その車両またはドライバーに対して、「この先事故多発地点につき注意して下さい！」というアラートメッセージ２４０を報知する。また、情報処理装置２００は、例えば、速度超過による事故が多発している場合には、より具体的に、「速度を落としてください！」のような減速を促すアラートメッセージ２４０を報知する。一方で、６０代のドライバーが運転する車両が地点２１０に近づいていても、情報処理装置２００は、上述のようなアラートメッセージ２４０は報知しない。また、報知されるアラートメッセージ２４０は、例えば、テキストメッセージや音声メッセージ、画像メッセージ、または、これらを組み合わせたメッセージなどであるが、これらには限定されない。
【００１８】
図３は、本実施形態に係る情報処理装置２００の構成を示すブロック図である。情報処理装置２００は、判定部３０１と、記憶部３０２と、選択部３０３と、受付部３０４と、報知部３０５と、分析部３０６とを有する。
【００１９】
判定部３０１は、車両が事故発生地点に近づいているか否かを判定する。例えば、判定部３０１は、車両や車両に取り付けられた車載端末、車両の搭乗者の所持する携帯端末などのＧＰＳ（Global Positioning System）などから位置情報を取得し、取得した位置情報と地図データとを比較することにより、判定を行う。なお、判定部３０１が実行する接近判定の方法は、ＧＰＳを用いる方法には限定されず、例えば、事故発生地点に車両接近検知用のセンサを配置しておき、このセンサを用いて車両の接近を検知してもよい。
【００２０】
分析部３０６は、例えば、記憶部３０２などに蓄積された事故履歴情報に基づいて、事故発生地点で発生した事故の属性を分析する。分析された属性は、例えば、記憶部３０２などに記憶してもよい。属性は、例えば、年齢、性別、免許証の色、日時、天候、用途車種、運転操作、走行データ、事故態様および道路情報の少なくとも１つを含むが、これらには限定されない。ここで、用途車種の用途とは、自動車の使用形態の区分、つまり、自家用車または営業用車（事業用車）であり、車種とは、普通乗用車、小型乗用車、小型貨物車、小型ダンプカー、バスなどである。属性は、例えば、人口統計データや、ドライバーの睡眠時間、走行（予定）ルート、走行場所などを含んでもよい。
【００２１】
記憶部３０２は、事故履歴情報を記憶している。そして、記憶部３０２は、分析部３０６が、事故履歴情報を用いて分析した属性に基づいて、アラートメッセージ２４０を生成し、生成したアラートメッセージ２４０を記憶する。記憶部３０２は、例えば、１つの事故発生地点について、属性に応じて、複数のアラートメッセージ２４０を生成し、記憶する。生成されるアラートメッセージ２４０は、属性のうち、例えば、事故発生の時間帯に応じたメッセージであったり、事故発生時の天候に応じたメッセージであったり、事故発生場所の道路状況に応じたメッセージであったりする。
【００２２】
事故履歴情報は、その事故の属性に関する情報を含んでおり、例えば、事故を起こした人の年齢や、性別、免許証の色、事故発生の日時、その時の天候、事故車両の用途車種、運転者の運転状況（わき見、不注意、居眠り）などの情報を含んでいる。また、事故履歴情報は、走行データ（スピード、舵角、ブレーキの強弱）、事故態様（正面衝突、出会いがしら、追突）、道路状況（片道○車線、一方通行、対面通行、トンネル、急カーブ、登り、下り、見通し悪い、直線道路）などの情報を含んでいる。なお、事故履歴情報に含まれる情報や属性は、これらには限定されない。例えば、同じ事故発生地点で起こった事故であっても、事故の属性、つまり、事故を起こした人、事故の被害者、事故を起こした車、道路状況、天候、視界など、様々な属性が含まれる。
【００２３】
上述の説明では、記憶部３０２は、情報処理装置２００の内部構成として説明をしたが、情報処理装置２００の外部構成であってもよい。
【００２４】
選択部３０３は、記憶部３０２に記憶されているアラートメッセージ２４０から、事故発生地点で発生した事故の属性に応じたアラートメッセージ２４０を選択する。また、選択部３０３は、車両の速度などの走行状況を加味してアラートメッセージ２４０を選択してもよい。さらに、選択部３０３は、車両の周辺の天候や、走行時刻などの走行環境を加味してアラートメッセージ２４０を選択してもよい。そして、選択部３０３は、これら走行状況や走行環境などを加味してアラートメッセージ２４０を選択してもよい。なお、走行状況や走行環境は、車両に取り付けられたセンサなどから取得してもよいが、これには限定されない。また、選択部３０３は、ここに示した車両のリアルタイム状況の他に、ドライバーの感情などを加味して、アラートメッセージ２４０を選択してもよい。ドライバーの感情の判定は、例えば、短文投稿サイトなどの投稿メッセージを取得し、分析することにより判定してもよい。
【００２５】
受付部３０４は、アラートメッセージ２４０の報知タイミングの設定を受け付ける。例えば、車両のドライバーは、事故発生地点の何ｍ手前でアラートメッセージ２４０が報知されるかを設定することができる。ドライバーは、さらに、事故発生地点に到達するまでの時間、つまり、事故発生地点に到達する何秒手前でアラートメッセージ２４０が報知されるかを設定することもできる。
【００２６】
また、受付部３０４は、例えば、ドライバーが、カーナビゲーションシステムに出発地と目的地とを入力し、推奨ルートが表示されたタイミングでアラートメッセージ２４０が報知されるような設定を受け付けてもよい。すなわち、受付部３０４は、ドライバーが車両の運転を開始する前に、推奨ルート上にある事故発生地点についてのアラートメッセージ２４０が報知されるような設定を受け付ける。これにより、ドライバーは、これから通過する予定の走行ルートにおける、アラートメッセージを運転前に知ることができる。
【００２７】
また、受付部３０４は、事故の属性の設定を受け付ける。このように属性の設定を受け付けるこにより、ドライバーが、報知されるアラートメッセージ２４０の種類を選ぶことも可能となる。このように属性の設定を可能とすると、例えば、車両のドライバーが２０代の若者の場合に、車両が、２０代の若者が起こした事故の事故発生地点に近づいても、その事故発生地点で発生した事故の属性に応じたアラートメッセージが報知されないようにできる。また、これとは反対に、６０代のドライバーが、２０代のドライバーが事故を起こした事故発生地点に近づいた場合に、アラートメッセージ２４０を報知するようにすることもできる。
【００２８】
また、例えば、車両で走行している場所の周辺に子供が多い場合には、子供の飛び出しに関連したアラートメッセージ２４０を報知するようにすることもできる。つまり、情報処理装置２００が、車両のドライバーに応じて自動的にアラートメッセージ２４０を報知するようにすることもできるし、ドライバー自身が報知して欲しいと思うアラートメッセージ２４０を報知するようにすることもできる。また、属性の設定において、ドライバーに自由にキーワード、例えば、車種などを入力してもらい、そのキーワードに関連するアラートメッセージ２４０を報知するようにすることもできる。
【００２９】
報知部３０５は、アラートメッセージ２４０を報知する。報知部３０５は、例えば、ドライブレコーダやカーナビゲーションなどの車載端末や、車両の搭乗者の所持するスマートフォンなどの携帯端末などにアラートメッセージ２４０を報知する。報知部３０５が、アラートメッセージ２４０を報知する先は、これには限定されず、例えば、車両に搭載されているカーオーディオのスピーカなどに報知してもよい。
【００３０】
図４Ａ乃至図４Ｅは、本実施形態に係る情報処理装置の備えるアラートメッセージテーブル４０１の一例を示す図である。アラートメッセージテーブル４０１は、属性４１１に関連付けてアラートメッセージ４１２を記憶する。なお、アラートメッセージテーブル４０１は、紙面の大きさの関係で、図４Ａ乃至４Ｅに分けて図示している。
【００３１】
図４Ａには、属性に応じて、以下のようなアラートメッセージ４１２が示されている。例えば、年齢、天候、運転操作の属性に応じて、「この通りは、１６−１８時に西日で前が見えづらく特に３０−４０代の方は速度を出しすぎて事故が多くなっていますので、ご注意ください。」が示されている。年齢、日時、用途車種の属性に応じて、「この先、１２−１４時で６０代以上の方が運転する軽自動車の事故が多発していますので、周囲の車に注意して運転してください。」が示されている。
【００３２】
また、年齢、日時、運転操作に応じて、「この先、集中豪雨が予想されます。特に２０代の方の事故が多くなっていますので、速度の出し過ぎにご注意ください。」が示されている。年齢、用途車種に応じて、「あなたと同じ年代・車両を運転している人はこの道路の事故発生確率が３０％上がります。車間距離を十分にあけて運転しましょう。」が示されている。運転操作、走行データに応じて、「ハンドル操作が不安定になっています。１時間以上運転しているので休憩が必要です。」が示されている。
【００３３】
さらに、性別、免許証の色、道路状況に応じて、「この先の道は狭くなっています。女性でグリーン免許の方は、他の車両とすれ違う場合にご注意ください。」が示されている。天候、事故態様に応じて、「この通りは、雨の日に追突事故が多くなっています。速度を落として走行してください。」が示されている。日時、天候に応じて、「夕方、この先のトンネルを抜けると、西日の逆光により視界が悪くなります。ご注意ください。」が示されている。天候、運転操作、事故態様に応じて、「この先のカーブ右折時、雨天時にスリップによる事故が多発しています。速度を落として走行してください。」が示されている。
【００３４】
また、年齢、日時、運転操作に応じて、「この先の交差点街灯がなく、夜間の左折時に事故が起きています。６０代以上の方は特にご注意ください。」が示されている。年齢、免許証の色に応じて、「免許取立ての若者がこの峠に攻めて、事故を起こしています。安全運転をお願いします。」が示されている。天候、走行データ、事故態様に応じて、「あなたのようにアクセル・ブレーキ操作が荒めの方が、雨天時に、この先で追突事故を起こしています。」が示されている。用途車種、走行データに応じて、「ハイブリッド自動車の低速走行時の事故多発地点です。歩行者に気をつけてください。」が示されている。
【００３５】
さらにまた、日時、道路状況に応じて、「児童の登下校の時間帯です。子供の飛び出しに気をつけてください。」が示されている。日時、天候、道路状況に応じて、「暗くなり始めました。早めにヘッドライトをオンにしましょう。」が示されている。年齢、天候、道路状況に応じて、「連続運転時間が〇〇を超えました。休憩をとりましょう。」が示されている。
【００３６】
図４Ｂには、属性に応じて、以下のようなアラートメッセージ４１２が示されている。例えば、日時、走行データ、事故態様、人口統計データに応じて、「この先、人通りの混雑が予想されます。注意して走行してください。」が示されている。道路状況に応じて、「この先、ブラインドコーナーです。前方の障害物や、対向車が突然現れる可能性が高いです。」が示されている。用途車種、道路状況に応じて、「この先、道が凸凹です。バイクはコケやすいです。」が示されている。天候、用途車種に応じて、「この先、霧が発生しています。ヘルメットが曇って危険です。」が示されている。
【００３７】
また、日時、用途車種、道路状況に応じて、「この先、夜になると真っ暗です。バイクのライトでは危険です。夜道も明るいルートはこちらです。」が示されている。日時、天候、道路状況に応じて、「この先、路面が凍結している恐れがあります。」が示されている。道路状況に応じて、「信号の無い交差点です。」が示されている。日時、睡眠時間に応じて、「前日の睡眠時間が○時間以下の人は夕方の時間帯の事故が起こりやすいためこまめに休憩を取りましょう。」が示されている。
【００３８】
さらに、日時、道路状況に応じて、「１４−１６時は○○通りでは交通量が多く追突事故が起こりやすくなるためご注意ください。」が示されている。走行ルートに応じて、「○時○分頃通過予定の○○通りはスピード出しすぎによる事故が多くなっているためご注意ください。」が示されている。走行ルートに応じて、「この先信号機のない横断歩道または自転車横断帯がありますのでご注意ください。（◇マーク)」天候、道路状況に応じて、「〇〇ｋｍ先、大雪警報（注意報）が出ています。冬タイヤの準備が必要です。」が示されている。走行ルートに応じて、「この先長い下り坂です。スピードの出し過ぎにご注意ください。」が示されている。
【００３９】
さらにまた、天候、運転操作に応じて、「（降雪時）スリップする恐れがありますので、急ブレーキ、急発進に注意してください。」が示されている。用途車種、走行ルートに応じて、「（軽と小型車以外）この先道路が狭くなりますので、迂回ルートを案内します。」が示されている。日時、天候、運転操作、道路状況に応じて、「真冬の早朝は路面が凍結しています。速度を落として走行してください。」が示されている。
【００４０】
図４Ｃには、属性に応じて、以下のようなアラートメッセージ４１２が示されている。例えば、日時、運転操作、事故態様に応じて、「朝○時にこの地点を通る際は朝日で視界がさえぎられます。バイザーをおろしてゆっくり進んでください。」が示されている。日時、道路状況に応じて、「この道は７−８時の間、左車線がバス専用レーンとなります。早めに車線変更をしてください。」が示されている。
【００４１】
また、運転操作、走行データ、事項態様に応じて、「このＴ字路は歩行者の通行が見えにくく事故が多発しています。必ず一時停止してからゆっくりと右左折してください。」が示されている。性別、免許証の色、運転操作、走行データに応じて、「このスクランブル交差点で女性のブルー免許の方の事故が多発しています。注意して走行しましょう。」が示されている。年齢、性別、運転操作、走行データに応じて、「この付近では２０代の男性の事故が多発しています。スピードの出しすぎに注意しましょう。」が示されている。
【００４２】
さらに、用途車種、運転操作、走行データ、事故態様、道路状況に応じて、「この先、道幅が狭くなっており大型車との接触事故が多発しています。速度を落として安全運転してください。」が示されている。年齢、免許証の色、事故態様に応じて、「この先の交差点では○○（事故形態）事故が多発しています。免許を取得して間もない方は特に注意してください。」が示されている。天候、用途車種、道路状況に応じて、「本日は風が強くなっています。横風にハンドルをとられないように注意してください。」が示されている。
【００４３】
また、道路状況に応じて、「この先、急なカーブが続きます。スピードを落としてください。」が示されている。走行ルートに応じて、「この先、通学路です。スピードを落とし、子供の飛び出しに注意してください。」が示されている。道路状況に応じて、「（狭い道路）この先道幅が狭くなります。すれ違いにご注意ください。」が示されている。道路状況、走行ルートに応じて、「この先、反対車線で事故が発生しています。物見による事故にご注意ください。」が示されている。事故態様、場所に応じて、「車両盗難、車上荒らし多発地域です。ご注意ください。」が示されている。
【００４４】
さらにまた、用途車種、統計データに応じて、「この先大型車の交通量が多いので気をつけましょう」が示されている。年齢、性別、事故態様に応じて、「この先は高速道路の出口です。逆走事故が多発しています。入らないでください。」が示されている。年齢、性別、事故態様に応じて、「サービスエリアの入口と出口を間違え、逆走してしまう事故が多発しています。気をつけましょう。」が示されている。
【００４５】
図４Ｄには、属性に応じて、以下のようなアラートメッセージ４１２が示されている。例えば、年齢、性別、事故態様に応じて、「インターンチェンジ・ジャンクションでユーターンしないでください。逆方向から走行する車と衝突します。一旦、料金所まで走行してください。」が示されている。
【００４６】
また、年齢、性別、事故態様に応じて、「こちらの交差点での左折時に、バイクや自転車を巻き込む事故が多発しています。左側のサイドミラー確認するほか、ご自身の目で自転車やバイクがきていないか確認しましょう。」が示されている。道路状況に応じて、「ショッピングセンターの立体駐車場では、接触事故が多発しています。急に人や車が飛び出してきます。最新の注意をはらってください。」が示されている。
【００４７】
さらに、年齢、性別に応じて、「駐車時に、高齢者や運転に不慣れな方がアクセルとブレーキを踏み間違えてしまう事故が発生しています。気をつけましょう。」が示されている。年齢、性別に応じて、「運転に不慣れな方や２０代女性は、駐車時に他の車や柱にぶつけてしまうことがあります。慎重に運転しましょう。」が示されている。運転操作に応じて、「スーパーやショッピングセンターの駐車時は、小さなこどもが急に走ってくることがあります。すぐに止まれる速度で駐車しましょう。」が示されている。
【００４８】
さらにまた、天候に応じて、「この先、濃い霧が発生しています。ヘッドライトをつけましょう。」が示されている。運転操作に応じて、「この先、長い下り坂が続きます。不測の速度を落とし、ギアをセカンドに入れて、エンジンブレーキに負荷をかけないようにしましょう。」が示されている。事故態様、道路状況に応じて、「高速道路の渋滞時は、わき見運転、居眠り運転による事故が発生します。前に走っている車との車間距離を十分にとりましょう。」が示されている。天候に応じて、「雨の日(雪の日）は、ブレーキがきかなくなります。スピードを出しすぎず、車間距離を普段より長くとりましょう。」が示されている。
【００４９】
図４Ｅには、属性に応じて、以下のようなアラートメッセージ４１２が示されている。例えば、道路状況に応じて、「高速道路はスピードがでているため、停車に時間がかかります。前の車との距離は最低○ｍとって走行しましょう。」が示されている。天候に応じて、「寒い日や湿気の多い日は、前、横、後ろの視界が狭まることにより事故が発生します。曇り止めにエアコンをつける、停車時にサイドミラーや後ろのガラスをふくなどして視界を確保しましょう。」が示されている。
【００５０】
また、運転操作に応じて、「住宅街で、道路横断歩行中の高齢者を轢いてしまう事故が多発しています。高齢者は歩く速度が遅く、斜め横断、信号無視してしまうことがあります。いつでも止まれる速度で運転しましょう。」が示されている。運転操作、道路状況に応じて、「高速道路から出た後も高速道路と同じ速度で走行し、事故が発生するケースがあります。一般道の規制速度に落としましょう。」が示されている。
【００５１】
さらに、運転操作、道路状況に応じて、「運転に不慣れな方は、高速道路の一番左側の車線を走行することで、事故に遭うリスクを下げられます。」が示されている。日時、道路状況に応じて、「(都市部に限定）通勤通学の時間帯である朝や夕方は、焦って運転している方が多く、事故が多発する時間帯です。落ち着いて運転しましょう。」が示されている。
【００５２】
さらにまた、年齢、性別、免許証の色に応じて、「免許取得後１年以内のドライバーは、通常のドライバーの○倍事故を起こしています。できるだけ運転に慣れたドライバーに同乗してもらい、事故を防止しましょう。」が示されている。天候に応じて、「本日の気候により、ブラックアイスバーンが発生している可能性があります。ブラックアイスバーンは、ドライバーからは道路が濡れているようにしか見えませんが、実際は路面凍結している危険な道路状況です。慎重に運転してください。」が示されている。
【００５３】
図５は、本実施形態に係る情報処理装置２００のハードウェア構成を示す図である。ＣＰＵ(Central Processing Unit)５１０は演算制御用のプロセッサであり、プログラムを実行することで図３の情報処理装置２００の機能構成部を実現する。ＲＯＭ(Read Only Memory)５２０は、初期データおよびプログラムなどの固定データおよびその他のプログラムを記憶する。また、ネットワークインタフェース５３０は、ネットワークを介して他の装置などと通信する。なお、ＣＰＵ５１０は１つに限定されず、複数のＣＰＵであっても、あるいは画像処理用のＧＰＵ(Graphics Processing Unit)を含んでもよい。また、ネットワークインタフェース５３０は、ＣＰＵ５１０とは独立したＣＰＵを有して、ＲＡＭ(Random Access Memory)５４０の領域に送受信データを書き込みあるいは読み出しするのが望ましい。また、ＲＡＭ５４０とストレージ５５０との間でデータを転送するＤＭＡＣ(Direct Memory Access Controller)を設けるのが望ましい（図示なし）。さらに、入出力インタフェース５６０は、ＣＰＵ５１０とは独立したＣＰＵを有して、ＲＡＭ５４０の領域に入出力データを書き込みあるいは読み出しするのが望ましい。したがって、ＣＰＵ５１０は、ＲＡＭ５４０にデータが受信あるいは転送されたことを認識してデータを処理する。また、ＣＰＵ５１０は、処理結果をＲＡＭ５４０に準備し、後の送信あるいは転送はネットワークインタフェース５３０やＤＭＡＣ、あるいは入出力インタフェース５６０に任せる。
【００５４】
ＲＡＭ５４０は、ＣＰＵ５１０が一時記憶のワークエリアとして使用するランダムアクセスメモリである。ＲＡＭ５４０には、本実施形態の実現に必要なデータを記憶する領域が確保されている。事故履歴情報５４１は、事故発生地点で発生した事故に関する情報である。事故発生地点５４２は、例えば、地図データ上に記録された事故発生地点に関するデータである。車両現在位置５４３は、例えば、車両に取り付けられたＧＰＳなどから取得した車両の現在位置に関するデータである。属性４１１は、事故の属性に関するデータであり、例えば、アラートメッセージテーブル４０１から展開されたデータである。アラートメッセージ４１２は、アラートメッセージに関するデータであり、例えば、アラートメッセージテーブル４０１から展開されたデータである。
【００５５】
入出力データ５４６は、入出力インタフェース５６０を介して入出力されるデータである。送受信データ５４７は、ネットワークインタフェース５３０を介して送受信されるデータである。また、ＲＡＭ５４０は、各種アプリケーションモジュールを実行するためのアプリケーション実行領域５４８を有する。
【００５６】
ストレージ５５０には、データベースや各種のパラメータ、あるいは本実施形態の実現に必要な以下のデータまたはプログラムが記憶されている。ストレージ５５０は、アラートメッセージテーブル４０１と、事故履歴情報ＤＢ（Database）５５１とを格納する。アラートメッセージテーブル４０１は、図４Ａ乃至図４Ｅに示した、属性４１１とアラートメッセージ４１２との関係を管理するテーブルである。事故履歴情報ＤＢ５５１は、事故発生地点で発生した事故に関連する情報を格納するデータベースである。ストレージ５５０は、さらに、判定モジュール５５２と、選択モジュール５５３と、受付モジュール５５４と、報知モジュール５５５とを格納する。これらのモジュールは、ＣＰＵ５１０により実行される。
【００５７】
判定モジュール５５２は、車両が事故発生地点に近づいているか否かを判定するモジュールである。選択モジュール５５３は、アラートメッセージ２４０を選択するモジュールである。受付モジュール５５４は、アラートメッセージ２４０の報知タイミングおよび報知されるアラートメッセージ２４０の種類のうち少なくとも一方の設定を受け付けるモジュールである。報知モジュール５５５は、アラートメッセージ２４０を報知するモジュールである。これらのモジュール５５２〜５５５は、ＣＰＵ５１０によりＲＡＭ５４０のアプリケーション実行領域５４８に読み出され、実行される。制御プログラム５５６は、情報処理装置２００の全体を制御するためのプログラムである。
【００５８】
入出力インタフェース５６０は、入出力機器との入出力データをインタフェースする。入出力インタフェース５６０には、表示部５６１、操作部５６２、が接続される。また、入出力インタフェース５６０には、さらに、記憶媒体５６４が接続されてもよい。さらに、音声出力部であるスピーカ５６３や、音声入力部であるマイク、あるいは、ＧＰＳ位置判定部が接続されてもよい。なお、図５に示したＲＡＭ５４０やストレージ５５０には、情報処理装置２００が有する汎用の機能や他の実現可能な機能に関するプログラムやデータは図示されていない。
【００５９】
図６は、本実施形態に係る情報処理装置２００の処理手順を説明するフローチャートである。このフローチャートは、図５のＣＰＵ５１０がＲＡＭ５４０を使用して実行し、図３の情報処理装置２００の機能構成部を実現する。
【００６０】
ステップＳ６０１において、情報処理装置は、事故履歴情報に基づいて事故の属性を分析する。ステップＳ６０３において、情報処理装置２００は、分析した属性に基づいてアラートメッセージ２４０を生成する。ステップＳ６０５において、情報処理装置２００は、生成したアラートメッセージ２４０を記憶部３０２に記憶する。ステップＳ６０７において、情報処理装置２００は、車両が事故発生地点に近づいたか否かを判定する。事故発生地点に近づいていないと判定した場合（ステップＳ６０７のＮＯ）、情報処理装置２００は、ステップＳ６０１に戻る。事故発生地点に近づいていると判定した場合（ステップＳ６０７のＹＥＳ）、情報処理装置２００は、次のステップへと進む。
【００６１】
ステップＳ６０９において、情報処理装置２００は、記憶部３０２からアラートメッセージ２４０を選択する。ステップＳ６１１において、情報処理装置２００は、選択したアラートメッセージ２４０を所定の報知先へ報知する。ステップＳ６１３において、情報処理装置２００は、車両の運転が終了したか否かを判定する。車両の運転が終了していないと判定した場合（ステップＳ６１３のＮＯ）、情報処理装置２００は、ステップＳ６０１以降のステップを繰り返す。車両の運転が終了したと判定した場合（ステップＳ６１３のＹＥＳ）、情報処理装置２００は、処理を終了する。
【００６２】
本実施形態によれば、車両に関連する事故を的確に減らすことができる。また、車両のドライバーなどに対して、事故防止のためのアラートメッセージを報知できるので、車両の関係する事故を減らすことができる。
【００６３】
［第３実施形態］
次に本発明の第３実施形態に係る情報処理装置について、図７乃至図９を用いて説明する。図７は、本実施形態に係る情報処理装置の構成を説明するためのブロック図である。本実施形態に係る情報処理装置７００は、上記第２実施形態と比べると、選択部の代わりに生成部７０１を有する点で異なる。その他の構成および動作は、第２実施形態と同様であるため、同じ構成および動作については同じ符号を付してその詳しい説明を省略する。
【００６４】
情報処理装置７００は、生成部７０１を有する。生成部７０１は、判定部３０１により、車両が事故発生地点に近づいていると判定された場合、事故履歴情報を用いて、アラートメッセージ２４０を生成する。また、生成部７０１は、車両の速度などの走行状況を加味してアラートメッセージ２４０を生成してもよい。さらに、生成部７０１は、車両の周辺の天候や、走行時刻などの走行環境を加味してアラートメッセージ２４０を生成してもよい。そして、生成部７０１は、これら走行状況や走行環境などを加味してアラートメッセージ２４０を生成してもよい。なお、走行状況や走行環境は、車両に取り付けられたセンサなどから取得してもよいが、これには限定されない。また、生成部７０１は、ドライバーの感情などを加味してアラートメッセージ２４０を生成してもよい。
【００６５】
図８は、本実施形態に係る情報処理装置７００のハードウェア構成を示す図である。ストレージ８５０は、生成モジュール８５１を格納する。このモジュールは、ＣＰＵ５１０により実行される。生成モジュール８５１は、アラートメッセージ２４０を生成するモジュールである。
【００６６】
図９は、本実施形態に係る情報処理装置７００の処理手順を説明するフローチャートである。ステップＳ９０１において、情報処理装置７００は、車両が事故発生地点に近づいたか否かを判定する。車両が事故発生地点に近づいていないと判定した場合（ステップＳ９０１のＮＯ）、情報処理装置７００は、ステップＳ９０１へ戻る。車両が事故発生地点に近づいていると判定した場合（ステップＳ９０１のＹＥＳ）、情報処理装置７００は、次のステップへ進む。ステップＳ９０３において、情報処理装置７００は、属性に基づいてアラートメッセージ２４０を生成する。ステップＳ９０５において、情報処理装置７００は、生成したアラートメッセージ２４０を所定の報知先へ報知する。
【００６７】
本実施形態によれば、車両に関する事故を的確に減らすことができる。また、車両が事故発生地点に近づいた場合にアラートメッセージを生成して報知するので、ストレージの容量を浪費することなく、事故を減らすことができる。
【００６８】
［他の実施形態］
以上、実施形態を参照して本願発明を説明したが、本願発明は上記実施形態に限定されるものではない。本願発明の構成や詳細には、本願発明のスコープ内で当業者が理解し得る様々な変更をすることができる。また、それぞれの実施形態に含まれる別々の特徴を如何様に組み合わせたシステムまたは装置も、本発明の範疇に含まれる。
【００６９】
また、本発明は、複数の機器から構成されるシステムに適用されてもよいし、単体の装置に適用されてもよい。さらに、本発明は、実施形態の機能を実現する情報処理プログラムが、システムあるいは装置に直接あるいは遠隔から供給される場合にも適用可能である。したがって、本発明の機能をコンピュータで実現するために、コンピュータにインストールされるプログラム、あるいはそのプログラムを格納した媒体、そのプログラムをダウンロードさせるＷＷＷ(World Wide Web)サーバも、本発明の範疇に含まれる。特に、少なくとも、上述した実施形態に含まれる処理ステップをコンピュータに実行させるプログラムを格納した非一時的コンピュータ可読媒体（non-transitory computer readable medium）は本発明の範疇に含まれる。
【図１】
2018055296.tif 000003
【図２】
2018055296.tif 000004
【図３】
2018055296.tif 000005
【図４Ａ】
2018055296.tif 000006
【図４Ｂ】
2018055296.tif 000007
【図４Ｃ】
2018055296.tif 000008
【図４Ｄ】
2018055296.tif 000009
【図４Ｅ】
2018055296.tif 000010
【図５】
2018055296.tif 000011
【図６】
2018055296.tif 000012
【図７】
2018055296.tif 000013
【図８】
2018055296.tif 000014
【図９】
2018055296.tif 000015